(57)【要約】【課題】注射器において、プランジャを押す場合よりもプランジャを手前に引きやすくする。【解決手段】注射器（10）に、ノズル（21）が貫通した端壁（24）と、端壁（24）が一端に接続された外筒部（20）と、外筒部（20）内を前後に摺動するガスケット（30）とを備えるようにし、外筒部（20）は、ガスケット（30）の摺動部分（1）の後側に隣接する液溜室（3）を有するようにし、ガスケット（30）の後方への摺動に伴って、液溜室（3）の液体（5）がガスケット（30）の摺動部分（1）へ入り込んで摺動部分（1）を潤滑するようにする。【選択図】図２
2015181505.tif 000002
【特許請求の範囲】
【請求項１】
ノズルが貫通した端壁と、
前記端壁が一端に接続された外筒部と、
前記外筒部内を前後に摺動するガスケットとを備え、
前記外筒部は、前記ガスケットの摺動部分の後側に隣接する液溜部を有し、
前記ガスケットの後方への摺動に伴って、前記液溜部の液体が前記ガスケットの摺動部分へ入り込んで前記摺動部分を潤滑することを特徴とする注射器。
【請求項２】
前記外筒部は、前記ガスケットの前側に隣接し且つ前記ノズルに連通する収容室と、前記ガスケットの側方に隣接して前記収容室と前記液溜部とを連通する液通路とが形成され、
前記ガスケットの前方への摺動による前記収容室の収縮に伴って、前記収容室の液体が前記液通路を通じて前記液溜部へ送られることを特徴とする、請求項１に記載の注射器。
【請求項３】
前記外筒部は、内周壁から径方向内方へ突出するリブを備え、
前記ガスケットは、前後方向の摺動時に前記リブに乗り上がった部分が変形して窪み部に形成される弾性体で構成され、
前記液通路は、前記ガスケットの窪み部に形成されることを特徴とする、請求項２に記載の注射器。
【請求項４】
前記ガスケットに接続されたプランジャを備え、
前記ガスケットは、前記プランジャで前方へ押されて前記リブに乗り上がった状態で前記ノズルを閉塞した後に、さらに前記プランジャで前方へ押されて前記端壁に押し付けられて弾性変形することによって前記収容室を収縮させることを特徴とする、請求項３に記載の注射器。
【請求項５】
前記外筒部のリブは、軸方向長さが前記ガスケットの摺動部分の軸方向長さよりも長く形成されていることを特徴とする、請求項３又は４に記載の注射器。
【請求項６】
前記外筒部のリブは、１つ又は前記外筒部の周方向に間隔を空けて複数形成されていることを特徴とする、請求項３から５の何れか１つに記載の注射器。
【請求項７】
前記ガスケットは、前記外筒部から離間した小径部と、前記小径部の前側に連続的に形成された大径部とをそれぞれ少なくとも１つ有し、前記外筒部と前記大径部との間に前記摺動部分が形成され、前記外筒部と前記小径部との間の径方向隙間に前記液溜部が形成されることを特徴とする、請求項１から請求項６の何れか１つに記載の注射器。
【請求項８】
前記外筒部のリブは、軸方向長さが前記ガスケットの大径部の軸方向長さよりも長く形成されていることを特徴とする、請求項７に記載の注射器。
【請求項９】
前記外筒部は、内周壁に軸方向へ延びる溝部が形成され、
前記液通路は、前記溝部の内側に形成されていることを特徴とする、請求項２に記載の注射器。
【発明の詳細な説明】
【技術分野】
【０００１】
本発明は、注射器に関し、特に注射器の外筒部に挿入されたガスケットの摺動抵抗を低減する対策に係るものである。
【背景技術】
【０００２】
従来より、外筒部とガスケットとプランジャとを備えた注射器が知られている（例えば、特許文献１を参照）。この注射器において、外筒部の一端に端壁を有しこの端壁を貫通してノズルが設けられ、プランジャの先端に接続されたガスケットが外筒部の他端の開口を通じて外筒部の内部に挿入されている。
【０００３】
この従来の注射器において、外筒部の端壁とガスケットの間には収容室が形成されている。プランジャに押されてガスケットが前方へ移動すると、上述の収容室が収縮して収容室の流体がノズルを通じて注射器の外側へ流出する。一方、プランジャが手前に引かれてガスケットが後方へ移動すると、上述の収容室が拡張して注射器の外側の流体がノズルを通じて収容室へ流入する。
【先行技術文献】
【特許文献】
【０００４】
【特許文献１】特開２００９−１６５５２４号公報
【発明の概要】
【発明が解決しようとする課題】
【０００５】
しかしながら、従来の注射器の場合、外筒部とガスケットとの間の径方向隙間から収容室の液体が漏れないように、外筒部とガスケットとを摺接させているため、ガスケットと外筒部との間の摺動抵抗によってプランジャを動かしにくくなっている。
【０００６】
特に、プランジャを引く場合は、プランジャを押す場合とは違い、ガスケットが外筒部から抜けないように力を加減しなければならない。このことから、プランジャを引く場合は、プランジャを押す場合に比べてプランジャの操作がやりにくいという問題があった。
【０００７】
本発明は、かかる点に鑑みてなされたものであり、その目的は、注射器において、プランジャを押す場合よりもプランジャを手前に引きやすくすることにある。
【課題を解決するための手段】
【０００８】
本発明は、ノズルが貫通した端壁と、前記端壁が一端に接続された外筒部と、前記外筒部内を前後に摺動するガスケットとを備え、前記外筒部は、前記ガスケットの摺動部分の後側に隣接する液溜部を有し、前記ガスケットの後方への摺動に伴って、前記液溜部の液体が前記ガスケットの摺動部分へ入り込んで前記摺動部分を潤滑する注射器である。
【０００９】
また、本発明の注射器の外筒部は、前記ガスケットの前側に隣接し且つ前記ノズルに連通する収容室と、前記ガスケットの側方に隣接して前記収容室と前記液溜部とを連通する液通路とが形成され、前記ガスケットの前方への摺動による前記収容室の収縮に伴って、前記収容室の液体が前記液通路を通じて前記液溜部へ送られるようにしてもよい。
【００１０】
また、本発明の注射器の外筒部は、内周壁から径方向内方へ突出するリブを備え、前記ガスケットは、前後方向の摺動時に前記リブに乗り上がった部分が変形して窪み部に形成される弾性体で構成され、前記液通路は、前記ガスケットの窪み部に形成されるようにしてもよい。
【００１１】
また、本発明の注射器は、前記ガスケットに接続されたプランジャを備え、前記ガスケットは、前記プランジャで前方へ押されて前記リブに乗り上がった状態で前記ノズルを閉塞した後に、さらに前記プランジャで前方へ押されて前記端壁に押し付けられて弾性変形することによって前記収容室を収縮させるようにしてもよい。
【００１２】
また、本発明の注射器の外筒部のリブは、軸方向長さが前記ガスケットの摺動部分の軸方向長さよりも長く形成されるようにしてもよい。
【００１３】
また、本発明の注射器の外筒部のリブは、１つ又は前記外筒部の周方向に間隔を空けて複数形成されるようにしてもよい。
【００１４】
また、本発明の注射器のガスケットは、前記外筒部から離間した小径部と、前記小径部の前側に連続的に形成された大径部とを少なくとも１つ有し、前記外筒部と前記大径部との間に前記摺動部分が形成され、前記外筒部と前記小径部との間の径方向隙間に前記液溜部が形成されるようにしてもよい。
【００１５】
また、本発明の注射器の外筒部のリブは、軸方向長さが前記ガスケットの大径部の軸方向長さよりも長く形成されるようにしてもよい。
【００１６】
また、本発明の注射器の外筒部は、内周壁に軸方向へ延びる溝部が形成され、前記液通路は、前記溝部の内側に形成されるようにしてもよい。
【発明の効果】
【００１７】
本発明によれば、ガスケットの後方への摺動に伴って、注射器の液溜部に溜まった液体をガスケットの摺動部分へ供給して、液溜部の液体をガスケットの摺動部分の潤滑剤として利用することにより、外筒部とガスケットとの摺動抵抗を減少させることができる。この摺動抵抗の減少によって、プランジャを手前へ引きやすくすることができる。
【図面の簡単な説明】
【００１８】
【図１】図１は、本発明の一実施形態に係る注射器の縦断面図である。
【図２】図２は、本発明の一実施形態に係る注射器のノズル付近の縦断面図である。
【図３】図３は、ガスケットがリブに乗り上がったときの注射器のノズル付近の縦断面図である。
【図４】図４は、図３のＡ−Ａ断面図である。
【図５】図５は、ガスケットの先端が端壁の貫通孔を閉塞した直後の注射器のノズル付近の縦断面図である。
【図６】図６は、本発明品と従来品との注射器における摺動性能試験の結果を示すグラフである。
【発明を実施するための形態】
【００１９】
以下、本発明の一実施形態に係る注射器を図面に基づいて詳細に説明する。なお、以下に説明する一実施形態は例示であり、本発明が一実施形態に限定されるものではない。
【００２０】
（注射器の全体構成）
まず、この注射器（10）の全体構成について説明する。この注射器（10）は、図１に示すように、ノズル（21）と端壁（24）と外筒部（20）とガスケット（30）とプランジャ（40）とを備えている。
【００２１】
ノズル（21）は細長状に形成されている。このノズル（21）が端壁（24）の中心部を貫通して設けられている。端壁（24）は外筒部（20）の一端に取り付けられている。ノズル（21）の軸心と外筒部（20）の軸心とは略一致している。外筒部（20）の他端は開口している。この開口を通じてガスケット（30）が外筒部（20）の内部へ挿入されている。外筒部（20）の端壁（24）とガスケット（30）との間に収容室（4）が形成されている。ノズル（21）の内部通路と収容室（4）とは互いに連通している。
【００２２】
ガスケット（30）はプランジャ（40）の端部に接続されている。プランジャ（40）に押されてガスケット（30）が前方へ移動すると、上述の収容室（4）が収縮して収容室（4）の液体（5）がノズル（21）を通じて注射器（10）の外側へ流出する。一方、プランジャが手前に引かれてガスケットが後方へ移動すると、上述の収容室（4）が拡張して注射器（10）の外側の液体（5）がノズル（21）を通じて収容室（4）へ流入する。
【００２３】
（注射器の摺動部の潤滑構造）
次に、注射器（10）における摺動部分の潤滑構造について説明する。
【００２４】
―液溜室―
この注射器（10）には、注射器（10）の摺動部分へ供給される液体（5）を溜める液溜部としての液溜室（3）が設けられている。
【００２５】
ガスケット（30）は、図２に示すように、外筒部（20）の内周壁（22）から径方向へ離間した小径部（31）と、小径部（31）の前側に連続して形成された大径部としての前側大径部（32）とをそれぞれ１つずつ備えている。また、小径部（31）の後側に連続して後側大径部（33）が形成されている。これらの大径部（32,33）の外周壁（35,36）は、外筒部（20）の内周壁（22）に摺接している。大径部（32,33）の外周壁（35,36）と外筒部（20）の内周壁（22）とが注射器（10）の摺動部（11）である。
【００２６】
尚、この一実施形態のガスケット（30）は、前側大径部（32）と小径部（31）とをそれぞれ１つずつ有しているが、これに限定されず、前側大径部（32）及び小径部（31）を一組としてガスケット（30）の長さ方向に複数の組を連続させて形成するようにしてもよい。また、ガスケットの最後尾の小径部（31）の後側に連続して後側大径部（33）を形成するようにしてもよい。
【００２７】
外筒部（20）の内周壁（22）と前側大径部（32）の外周壁（35）との間の摺動部分（1）は、プランジャ（40）を手前へ引いたときのガスケット（30）の摺動に伴って、ガスケット（30）の液溜室（3）の液体（5）が入り込むように構成されている。これにより、この液体（5）が潤滑剤として作用し、ガスケット（30）がスムーズに動くようになる。
【００２８】
また、このガスケット（30）は、前側大径部（32）の外周壁（35）と背面側の端面（37）との交差部分が丸みを帯びている（図２の５０を参照）。これにより、上述の交差部分が角部により形成される場合に比べて、液溜室（3）の液体（5）が前側大径部（32）の摺動部分（1）へ入り込み易くなっている。これにより、ガスケット（30）がより一層スムーズに動くようになる。
【００２９】
ここで、このガスケット（30）における前側大径部（32）の摺動面積と後側大径部（33）の摺動面積とは略同じであるが、例えば、ガスケット（30）全体の摺動面積に対する前側大径部（32）の摺動面積の割合が、後側大径部（33）の摺動面積の割合よりも大きくなるようにしてもよい。液溜室（3）の液体（5）は前側大径部（32）側へ供給されるため、前側大径部（32）の摺動面積を後側大径部（33）の摺動面積よりも大きくすることによって、ガスケット（30）がさらにスムーズに動くようになる。
【００３０】
尚、ガスケット（30）全体の摺動面積に対する後側大径部（33）の摺動面積の割合が、前側大径部（32）の摺動面積の割合よりも大きくすることを妨げるものではない。また、一実施形態の注射器（10）のガスケット（30）は、液溜室（3）の液体（5）が後側大径部（33）の摺動部分に入り込まないように構成することにより、液溜室（3）の液体（5）を後側大径部（33）よりも後方へ洩らさないようにしているが、これに限定されず、液溜室（3）の液体（5）が後側大径部（33）の摺動部分に入り込むようにして、ガスケット（30）がより一層スムーズに動くようにしてもよい。
【００３１】
―液通路―
また、この注射器（10）には、図３，４に示すように、外筒部（20）の収容室（4）とガスケット（30）の液溜室（3）とを連通する液通路（2）が設けられている。
【００３２】
外筒部（20）は、その内周壁（22）から径方向内方へ突出する複数のリブ（23）を備えている。これらのリブ（23）は、外筒部（20）の端壁（24）寄りに位置している。プランジャ（40）が押されると、ガスケット（30）が前方へ摺動する。ガスケット（30）は弾性体で構成され、ガスケット（30）の前方への摺動に伴って、ガスケット（30）の前側大径部（32）の外周壁（35）が上述のリブ（23）に乗り上がる（図３を参照）。そして、その乗り上がった部分が弾性変形して、図４に示すように、前側大径部（32）に窪み部（34）が形成される。この窪み部（34）の内部に上述の液通路（2）が形成される。
【００３３】
リブ（23）は、その軸方向長さ（図３のＬ１）が前側大径部（32）の外周壁（35）の摺接部分の軸方向長さ（図３のＬ２）よりも長く、且つ前記ガスケット（30）の前側大径部（32）の外周壁（35）の摺接部分の軸方向長さと前記ガスケット（30）の小径部（31）の軸方向長さとを合わせた長さ（図３のＬ３）よりも短く形成されている。リブ（23）の軸方向長さをＬ２よりも長くすることで、外筒部（20）の収容室（4）とガスケット（30）の液溜室（3）とを確実に連通させるようにし、リブ（23）の軸方向長さをＬ３よりも短くすることで、外筒部（20）の収容室（4）と後側大径部（33）の摺動部分とを連通させないようにしている。
【００３４】
前側大径部（32）の全体がリブ（23）に乗り上がったとき、窪み部（34）の液通路（2）において外筒部（20）の収容室（4）とガスケット（30）の液溜室（3）とが連通する。この連通によって、収容室（4）の液体（5）の一部が液溜室（3）へ流入する。この収容室（4）の液体が、液溜室（3）を経て摺動部分（1）へ供給される。尚、液通路（2）の両側は摺動部分（1）であるため、収容室（4）の液体（5）が液通路（2）を流れる途中で両側の摺動部分（1）へ供給される。
【００３５】
リブ（23）は、外筒部（20）の軸方向に沿う直線状に形成されている。尚、リブ（23）は直線状のものに限定されず、螺旋状のもの、斜線状のもの等でもよいが、その軸方向長さが前側大径部（32）の外周壁（35）の摺接部分の軸方向長さよりも長くする必要がある。そうでないと、窪み部（34）の長さが足りず、窪み部（34）の液通路（2）によって外筒部（20）の収容室（4）とガスケット（30）の液溜室（3）とを連通させることができなくなるからである。
【００３６】
また、リブ（23）は、外筒部（20）の軸心を中心として周方向に９０°の間隔で４つ配置されている。尚、リブ（23）の数とリブ（23）の間隔とは単なる例示であり、その数と間隔は一実施形態に限定されず、リブ（23）の数は４つ以外であってもよいし、リブ（23）とリブ（23）との周方向の間隔は不等ピッチであってもよい。
【００３７】
また、リブ（23）は、その先端面が平坦に形成されている。一実施形態では、リブ（23）の長さが５ｍｍ、リブ（23）の幅が０．３ｍｍに設定されている。尚、リブ（23）の高さは０．１ｍｍに設定されている。リブ（23）の先端面を平坦にすることによって、リブ（23）の先端が鋭角な場合に比べて、ガスケット（30）がリブ（23）に乗り上がったときに、リブ（23）がガスケット（30）を傷つけ難くすることができる。また、リブ（23）において、両側面と平坦な先端面との交差部分に丸みを設けることにより、さらにガスケット（30）を傷つけ難くなっている。
【００３８】
また、リブ（23）は、その軸方向の外筒部（20）の開口側の端部において、その高さが外筒部（20）の開口側から端壁（24）へ向かって徐々に高くなるように構成してもよい。このように、リブ（23）の端部を傾斜させることで、プランジャ（40）を押したときに、リブ（23）にガスケット（30）が乗り上げ易くすることができる。
【００３９】
―収容室―
また、この注射器（10）は、プランジャ（40）に押されたガスケット（30）が端壁（24）のノズル（21）の貫通孔（25）を閉塞するまで進んだとしても、図５に示すように、端壁（24）における貫通孔（25）の外周縁よりも外側の部分（26）とガスケット（30）との間に収容室（4）としての隙間（S）が形成される。つまり、ガスケット（30）が端壁（24）の貫通孔（25）を閉塞した時点でガスケット（30）が端壁（24）に隙間なく接触しないように構成されている。
【００４０】
ガスケット（30）の前側大径部（32）は、円錐状の先端部（38）を有している。一方、外筒部（20）の端壁（24）は、貫通孔（32）の外周縁から端壁（24）の外周縁へ向かって拡径するテーパ状に形成されている。上述の円錐状の先端部（38）と上述の端壁（24）の貫通孔（32）とは、共に軸心が一致し、且つ円錐状の先端部（38）の頂角が端壁（24）のテーパ角よりも小さいため、円錐状の先端部（38）の頂部が端壁（24）の貫通孔（32）を塞いでも、前側大径部（32）と端壁（24）との間には収容室（4）を構成する隙間（S）が形成される。
【００４１】
外筒部（20）のリブ（23）は、その軸方向前方側の端部が外筒部（20）の軸方向前方側の外周縁に接するように形成されているため、リブ（23）によって生じるガスケット（30）の窪み部（34）の液通路（2）は、上述の収容室（4）を構成する隙間に開口している。
【００４２】
この状態から、プランジャ（40）を更に押すと、円錐状の先端部（38）が弾性変形して上述の収容室（4）が収縮して、液通路（2）を通じて液体（5）がガスケット（30）の液溜室（3）へ供給される。円錐状の先端部（38）によってノズル（21）が塞がれた状態になっているので、収容室（4）の液体（5）が液溜室（3）の方へ行き易くなっている。
【００４３】
以上のように、注射器（10）の潤滑構造を構成することにより、液溜室（3）に溜まった液体（5）を外筒部（20）とガスケット（30）との摺動部分（1）へ供給して液体（5）を潤滑剤として利用することができ、外筒部（20）とガスケット（30）との摺動抵抗を減少させることができる。この摺動抵抗の減少によって、プランジャ（40）を手前へ引きやすくすることができる。
【００４４】
（注射器の摺動性能試験）
次に、注射器（10）の摺動性能試験とその結果について説明する。この摺動性能試験では、注射器（10）のプランジャ（40）を手前に引いたときの外筒部（20）とガスケット（30）との間の摺動抵抗値を、本発明品と従来品とで比較した。
【００４５】
まず、本発明の注射器（10）の外筒部（20）にガスケット（30）を所定の位置まで挿入する。その後、ノズル（21）の先端を液体としての薬液（5）に付け、プランジャ（40）を手前に引いて外筒部（20）の収容室（4）に薬液（5）を充填する。
【００４６】
この薬液（5）を充填後、プランジャ（40）を押して、リブ（23）による窪み部（34）をガスケット（30）に形成させ、窪み部（34）による液通路（2）を通じて収容室（4）の薬液（5）をガスケット（30）の液溜室（3）へ所定の量だけ供給する。従来品の場合、リブ（23）がないので、収容室（4）に薬液（5）を充填後、ガスケット（30）の軸方向位置が本発明品と同じ位置になるように調整する。
【００４７】
次に、プランジャ（40）を５００ｍｍ/ｍｉｎの速さで引くときの応力を測定する。この応力が、外筒部（20）とガスケット（30）との間の摺動抵抗値となる。この試験は、本発明品及び従来品の各々において５回ずつ行った。その結果を図６に示す。
【００４８】
図６からわかるように、本発明品は、摺動抵抗値が従来品に比べて約１／５程度まで減少している。このことから、本発明品は、従来品に比べてプランジャ（40）を引きやすいという顕著な効果を有している。
【００４９】
液溜室（3）の薬液量が多くなるほど、注射器（10）の摺動抵抗値が低くなる。このことから、液溜室（3）の薬液量が多いほど、外筒部（20）とガスケット（30）との摺動部分（1）へ入り込む薬液（5）の量が増加し、その摺動部分の潤滑が促進されて摺動性能が向上すると考えられる。
【００５０】
（注射器を用いた内視鏡検査）
次に、この注射器を用いた内視鏡検査について説明する。
【００５１】
この注射器は、例えば内視鏡を通じて薬液を投入するために用いられる。
【００５２】
内視鏡を体内に挿入した後、注射器（10）の先端を内視鏡に形成された開口部に装着する。注射器（10）の収容室（4）には薬液が充填され、注射器（10）のプランジャ（40）を押して、収容室（4）の薬液を注射器（10）から流出させる。薬液は、内視鏡の内部通路を通過して内視鏡の鉗子口から体内へ散布される。
【００５３】
このとき、注射器（10）のプランジャ（40）を押し切っても、内視鏡内には薬液が残留している。この残留した薬液を内視鏡内から排出するため、一旦、注射器（10）を内視鏡から外した後に、プランジャ（40）を引いて注射器（10）の収容室（4）内へ空気を流入させる。その後、再度、空気が流入した注射器（10）を内視鏡に装着し、プランジャ（40）を押して収容室（4）の空気を注射器（10）から排出することにより、この空気で内視鏡内に残留した薬液を排出するようにしている。
【００５４】
上述の一実施形態の注射器（10）を用いれば、従来の注射器に比べて、プランジャ（40）をスムーズに引くことができる。これにより、注射器（10）の収容室（4）内へ空気を簡単に流入させることができ、空気の入った注射器（10）を再び内視鏡に装着した後、注射器（10）のプランジャ（40）を押して、注射器（10）内の空気を内視鏡へ送り、内視鏡内に残留した薬液を容易に排出させることができる。
【００５５】
（その他の実施の形態）
一実施形態では、外筒部（20）に複数のリブ（23）を形成して液通路（2）を形成したが、これに限定されず、例えば、外筒部（20）の外周部を部分的に径方向外方へ突出させて、この突出部分の内周壁（22）とガスケット（30）との間に隙間を形成し、この隙間に液通路（2）を形成してもよい。こうすると、ガスケット（30）を部分的に変形させることなく、液通路（2）を形成することができる。このような場合であっても、本発明と同様の効果を得ることができる。
【００５６】
また、一実施形態では、注射器（10）のリブ（23）の長さＬ１が、Ｌ２＜Ｌ１＜Ｌ３であったが、これに限定されず、Ｌ３≦Ｌ１であってもよい。リブ（23）の長さＬ１を後側大径部（33）の後側端面よりも後方へ延ばすようにしてもよい。この場合には、液通路（2）の液体（5）が後側大径部（33）の摺動部分の後側に隣接する液溜部へ供給することができ、後側大径部（33）の摺動部分も潤滑することができる。
【産業上の利用可能性】
【００５７】
以上、説明したように、本発明は、注射器に関し、特に注射器の外筒部に挿入されたガスケットの摺動抵抗を低減する対策について有用である。
【符号の説明】
【００５８】
１      摺動部分
２      液通路
３      液溜室（液溜部）
４      収容室
５      液体
１０    注射器
１１    摺動部
２０    外筒部
２１    ノズル
２２    内周壁
２３    リブ
２４    端壁
３０    ガスケット
３１    小径部
３２    前側大径部（大径部）
３３    後側大径部
４０    プランジャ
【図１】
2015181505.tif 000003
【図２】
2015181505.tif 000004
【図３】
2015181505.tif 000005
【図４】
2015181505.tif 000006
【図５】
2015181505.tif 000007
【図６】
2015181505.tif 000008